(57)【要約】【課題】視認性のよい番組表を提供する。【解決手段】  １時間や３０分などのある時間帯に注目し、その時間帯にそれぞれのチャンネルで放送される番組の番組名などをリスト表示する時間別番組表が表示される。例えば、注目する時間帯１の間に、チャンネルCH１で番組２に続けて放送される番組（番組５）が他にある場合、ユーザによる右方向の操作に応じて、左側に示される時間別番組表の表示は中央に示されるものとなる。すなわち、注目する時間帯は切り替えられず、選択されているチャンネルの表示だけが、放送開始時刻が後の番組の情報が表示されるように切り替えられる。本発明は、番組表を表示するテレビジョン受像機などの機器に適用することができる。【選択図】図７
2007060185.tif 000002
【特許請求の範囲】
【請求項１】
注目する時間帯にそれぞれのチャンネルで放送される番組の情報が並べて表示される時間別番組表を表示させるとともに、
注目する前記時間帯に複数の番組を放送するチャンネルがある場合、そのチャンネルに割り当てられた表示欄に、前記複数の番組のうちの第１の番組の情報を表示させ、所定のタイミングで、前記第１の番組の情報に替えて、前記複数の番組のうちの第２の番組の情報を表示させる表示制御手段を備える表示制御装置。
【請求項２】
前記表示制御手段は、前記複数の番組を放送するチャンネルが選択されている状態において、それぞれのチャンネルで放送される番組の情報が並べて表示される方向と直交する方向の操作が行われたタイミングで、前記第２の番組の情報を表示させる
請求項１に記載の表示制御装置。
【請求項３】
前記表示制御手段は、前記第１の番組の情報を表示させた表示欄に、同じ時間帯に放送される他の番組があることを表す情報をさらに表示させる
請求項１に記載の表示制御装置。
【請求項４】
前記表示制御手段は、注目する前記時間帯に１つの番組を放送するチャンネルが選択されている状態において、それぞれのチャンネルで放送される番組の情報が並べて表示される方向と直交する方向の操作が行われたとき、注目する時間帯を切り替え、切り替え後の時間帯にそれぞれのチャンネルで放送される番組の情報を並べて表示させる
請求項１に記載の表示制御装置。
【請求項５】
注目する時間帯にそれぞれのチャンネルで放送される番組の情報が並べて表示される時間別番組表を表示させるとともに、
注目する前記時間帯に複数の番組を放送するチャンネルがある場合、そのチャンネルに割り当てられた表示欄に、前記複数の番組のうちの第１の番組の情報を表示させ、所定のタイミングで、前記第１の番組の情報に替えて、前記複数の番組のうちの第２の番組の情報を表示させるステップを含む表示制御方法。
【請求項６】
注目する時間帯にそれぞれのチャンネルで放送される番組の情報が並べて表示される時間別番組表を表示させるとともに、
注目する前記時間帯に複数の番組を放送するチャンネルがある場合、そのチャンネルに割り当てられた表示欄に、前記複数の番組のうちの第１の番組の情報を表示させ、所定のタイミングで、前記第１の番組の情報に替えて、前記複数の番組のうちの第２の番組の情報を表示させるステップを含む処理をコンピュータに実行させるプログラム。
【請求項７】
注目するチャンネルでそれぞれの時間帯に放送される番組の情報が並べて表示されるチャンネル別番組表を表示させるとともに、
注目する前記チャンネルで複数の番組が放送される時間帯がある場合、その時間帯に割り当てられた表示欄に、前記複数の番組のうちの第１の番組の情報を表示させ、所定のタイミングで、前記第１の番組の情報に替えて、前記複数の番組のうちの第２の番組の情報を表示させる表示制御手段を備える表示制御装置。
【請求項８】
前記表示制御手段は、前記複数の番組を放送するチャンネルが選択されている状態において、それぞれの時間帯に放送される番組の情報が並べて表示される方向と直交する方向の操作が行われたタイミングで、前記第２の番組の情報を表示させる
請求項７に記載の表示制御装置。
【請求項９】
前記表示制御手段は、前記第１の番組の情報を表示させた表示欄に、同じチャンネルで放送される他の番組があることを表す情報をさらに表示させる
請求項７に記載の表示制御装置。
【請求項１０】
前記表示制御手段は、注目する前記チャンネルで１つの番組を放送する時間帯が選択されている状態において、それぞれの時間帯に放送される番組の情報が並べて表示される方向と直交する方向の操作が行われたとき、注目するチャンネルを切り替え、切り替え後のチャンネルでそれぞれの時間帯に放送される番組の情報を並べて表示させる
請求項７に記載の表示制御装置。
【請求項１１】
注目するチャンネルでそれぞれの時間帯に放送される番組の情報が並べて表示されるチャンネル別番組表を表示させるとともに、
注目する前記チャンネルで複数の番組が放送される時間帯がある場合、その時間帯に割り当てられた表示欄に、前記複数の番組のうちの第１の番組の情報を表示させ、所定のタイミングで、前記第１の番組の情報に替えて、前記複数の番組のうちの第２の番組の情報を表示させるステップを含む表示制御方法。
【請求項１２】
注目するチャンネルでそれぞれの時間帯に放送される番組の情報が並べて表示されるチャンネル別番組表を表示させるとともに、
注目する前記チャンネルで複数の番組が放送される時間帯がある場合、その時間帯に割り当てられた表示欄に、前記複数の番組のうちの第１の番組の情報を表示させ、所定のタイミングで、前記第１の番組の情報に替えて、前記複数の番組のうちの第２の番組の情報を表示させるステップを含む処理をコンピュータに実行させるプログラム。
【発明の詳細な説明】
【技術分野】
【０００１】
本発明は、表示制御装置および方法、並びにプログラムに関し、特に、視認性のよい番組表を提供することができるようにした表示制御装置および方法、並びにプログラムに関する。
【背景技術】
【０００２】
テレビジョン受像機などの番組を扱う機器の中には、例えば、放送波から取得されたEPG(Electronic Program Guide)データに基づいて番組表を表示する機能が搭載されているものがある。番組表の表示方法としては、いわゆるラテ欄表示（新聞の番組表のような表示）の他に、時間別表示とチャンネル別表示がある。
【０００３】
時間別表示は、１時間や３０分などのある時間帯に注目し、その時間帯にそれぞれのチャンネルで放送される番組の番組名などをリスト表示するものである。また、チャンネル別表示は、ある１つのチャンネルに注目し、そのチャンネルでそれぞれの時間帯に放送される番組の番組名などをリスト表示するものである。
【０００４】
これらの時間別表示やチャンネル別表示を採用することにより、ラテ欄表示を採用する場合に較べて、１画面に表示する情報の量を抑えることができ、遠くからでも見やすく、目線の移動が少ない番組表を表示させることができる。
【０００５】
さらに、時間別表示やチャンネル別表示を採用することにより、番組表の画面レイアウトが番組編成による影響を受けにくい。ラテ欄表示の場合、例えば、長時間に渡って放送される番組があれば１つの番組の欄をその分だけ大きく確保する必要があり、短い時間で放送される番組があれば１つの番組の欄を小さくする必要があるのに対し、時間別表示やチャンネル別表示の場合、基本的に、表示の内容が変わるだけで、画面レイアウト自体はさほど変更がない。
【０００６】
さらに、例えば、時間別表示を採用することにより、ラテ欄表示より、他のチャンネルで何の番組が放送されているのか、チャンネルとチャンネルの対比が容易となる。
【０００７】
非特許文献１には、このような時間別表示とチャンネル別表示について記載されている。
【非特許文献１】「ハードディスク搭載DVDレコーダ『スゴ録』  電子番組表（EPG）／番組追跡録画」＜http://www.sony.jp/products/Consumer/dvdrecorder/products/rdr_hx100_hx90.html＞
【発明の開示】
【発明が解決しようとする課題】
【０００８】
しかしながら、例えば、時間別表示の番組表において、注目する時間帯に複数の番組を放送するチャンネルがある場合、上述したような、ラテ欄表示と比較して時間別表示が有する優位な点が失われることがある。また、チャンネル別表示の番組表において、注目するチャンネルで複数の番組が放送される時間帯がある場合、ラテ欄表示と比較してチャンネル別表示が有する優位な点が失われることがある。
【０００９】
図１は、注目する時間帯に複数の番組を放送するチャンネルがある場合の従来の時間別表示された番組表（時間別番組表）の例を示す図である。
【００１０】
図１の例においては、３０分毎の時間帯に注目することができるようになされており、午後０：００から午後０：３０までの時間帯（ユーザが番組表の表示を指示した現在時刻を含む時間帯）が注目されている。
【００１１】
また、注目された時間帯にそれぞれのチャンネルで放送される番組の情報として、放送開始時刻とタイトルがリスト表示されるようになされている。例えば、注目する午後０：００から午後０：３０までの時間帯に０２１チャンネルで放送される番組のタイトルは「MHKお昼のニュース」とされ、０２３チャンネルで放送される番組のタイトルは「十万語の英会話」とされている。この「十万語の英会話」を放送する０２３チャンネルが、点線で示されるカーソルＣにより選択されている。
【００１２】
また、図１の例においては、注目する午後０：００から午後０：３０の時間帯に０２３チャンネルで放送される番組には、「十万語の英会話」の他に、「英語出直し塾」のタイトルの番組もあり、２つの番組がそれぞれ異なる欄（行）に表示されている。
【００１３】
図１の例においては、０５５，０５６，０５７チャンネルのそれぞれのチャンネルで放送される番組のタイトルと放送開始時刻が、０２３チャンネルで放送される番組の情報の下に続けて表示されている。
【００１４】
図２は、図１の状態から、注目する時間帯が午後０：３０から午後１：００までの時間帯に切り替えられた場合の時間別番組表の例を示す図である。
【００１５】
図１のように番組の情報が縦方向に並べて表示されている場合、横方向のユーザ操作に応じて、注目する時間帯が切り替えられる。例えば、ユーザは、図１の状態から、リモートコントローラに設けられる十字キーの右ボタンを押すことによって、注目する時間帯を、それまで注目されていた時間帯の次の時間帯である、午後０：３０から午後１：００までの時間帯に切り替えることができる。
【００１６】
図２の例においては、図１の例と同様に、０２１，０２３，０５５，０５６，０５７チャンネルのそれぞれのチャンネルで放送される番組のタイトルと放送開始時刻が表示されている。例えば、注目する午後０：３０から午後１：００までの時間帯に０２１チャンネルで放送される番組は、「お昼  エジプト幻のおやつ」のタイトルの番組と、「連続テレビ小説  あおば」のタイトルの番組があり、それらの２つの番組の情報がそれぞれ異なる欄に表示されている。
【００１７】
０２３，０５５，０５６，０５７チャンネルのそれぞれのチャンネルで、注目する午後０：３０から午後１：００までの時間帯に放送される番組のタイトルと放送開始時刻も、０２１チャンネルで放送される番組の情報の下に続けて表示されている。
【００１８】
図１、図２に示されるように、従来の時間別番組表においては、注目する時間帯に複数の番組を放送するチャンネルがある場合、そのチャンネルに複数の表示欄が割り当てられ、それぞれの表示欄に番組の情報が表示される。
【００１９】
従って、このように、注目する時間帯に複数の番組を放送するチャンネルがあり、それぞれの番組の情報が異なる表示欄に表示されるとした場合、図１と図２を比較してわかるように、番組編成によっては、１つのチャンネルに割り当てられる表示欄の数、位置が異なるものとなる。すなわち、画面レイアウトに変更が生じる。
【００２０】
例えば、図１の時間別番組表においては、上から１行目の表示欄が０２１チャンネルに割り当てられ、上から２行目と３行目の表示欄が０２３チャンネルに割り当てられているのに対し、図２の時間別番組表においては、上から１行目と２行目の表示欄が０２１チャンネルに割り当てられ、上から３行目の表示欄が０２３チャンネルに割り当てられている。
【００２１】
注目する時間帯を切り替えたときに、同じチャンネルで放送される番組の情報が異なる位置の表示欄に表示されるといったことは、視認性の悪さにつながる。例えば、あるチャンネルで放送される番組を時間帯を順次切り替えて確認しているユーザは、そのチャンネルの情報の表示位置が変更されることによってとまどいを感じてしまう。
【００２２】
また、あるチャンネルで放送される番組と他のチャンネルで放送される番組を対比している場合、対比するチャンネルの情報の表示位置が注目する時間帯によって移動してしまい、ユーザは、対比をスムーズに行うことができない。
【００２３】
このように、注目する時間帯に複数の番組を放送するチャンネルがある場合にそれぞれの番組の情報が異なる表示欄に表示されるとした場合、上述したような、時間別番組表が有する優位点の中には、それが失われるものもある。
【００２４】
チャンネル別表示された番組表（チャンネル別番組表）においても、複数の番組が放送される時間帯がある場合に同様のことが生じうる。
【００２５】
本発明はこのような状況に鑑みてなされたものであり、ユーザにとって視認性のよい番組表を提供することができるようにするものである。
【課題を解決するための手段】
【００２６】
本発明の一側面の表示制御装置は、注目する時間帯にそれぞれのチャンネルで放送される番組の情報が並べて表示される時間別番組表を表示させるとともに、注目する前記時間帯に複数の番組を放送するチャンネルがある場合、そのチャンネルに割り当てられた表示欄に、前記複数の番組のうちの第１の番組の情報を表示させ、所定のタイミングで、前記第１の番組の情報に替えて、前記複数の番組のうちの第２の番組の情報を表示させる表示制御手段を備える。
【００２７】
前記表示制御手段には、前記複数の番組を放送するチャンネルが選択されている状態において、それぞれのチャンネルで放送される番組の情報が並べて表示される方向と直交する方向の操作が行われたタイミングで、前記第２の番組の情報を表示させるようにすることができる。
【００２８】
前記表示制御手段には、前記第１の番組の情報を表示させた表示欄に、同じ時間帯に放送される他の番組があることを表す情報をさらに表示させるようにすることができる。
【００２９】
前記表示制御手段には、注目する前記時間帯に１つの番組を放送するチャンネルが選択されている状態において、それぞれのチャンネルで放送される番組の情報が並べて表示される方向と直交する方向の操作が行われたとき、注目する時間帯を切り替え、切り替え後の時間帯にそれぞれのチャンネルで放送される番組の情報を並べて表示させるようにすることができる。
【００３０】
本発明の一側面の表示制御方法またはプログラムは、注目する時間帯にそれぞれのチャンネルで放送される番組の情報が並べて表示される時間別番組表を表示させるとともに、注目する前記時間帯に複数の番組を放送するチャンネルがある場合、そのチャンネルに割り当てられた表示欄に、前記複数の番組のうちの第１の番組の情報を表示させ、所定のタイミングで、前記第１の番組の情報に替えて、前記複数の番組のうちの第２の番組の情報を表示させるステップを含む。
【００３１】
本発明の他の側面の表示制御装置は、注目するチャンネルでそれぞれの時間帯に放送される番組の情報が並べて表示されるチャンネル別番組表を表示させるとともに、注目する前記チャンネルで複数の番組が放送される時間帯がある場合、その時間帯に割り当てられた表示欄に、前記複数の番組のうちの第１の番組の情報を表示させ、所定のタイミングで、前記第１の番組の情報に替えて、前記複数の番組のうちの第２の番組の情報を表示させる表示制御手段を備える。
【００３２】
前記表示制御手段には、前記複数の番組を放送するチャンネルが選択されている状態において、それぞれの時間帯に放送される番組の情報が並べて表示される方向と直交する方向の操作が行われたタイミングで、前記第２の番組の情報を表示させるようにすることができる。
【００３３】
前記表示制御手段には、前記第１の番組の情報を表示させた表示欄に、同じチャンネルで放送される他の番組があることを表す情報をさらに表示させるようにすることができる。
【００３４】
前記表示制御手段には、注目する前記チャンネルで１つの番組を放送する時間帯が選択されている状態において、それぞれの時間帯に放送される番組の情報が並べて表示される方向と直交する方向の操作が行われたとき、注目するチャンネルを切り替え、切り替え後のチャンネルでそれぞれの時間帯に放送される番組の情報を並べて表示させるようにすることができる。
【００３５】
本発明の他の側面の表示制御方法またはプログラムは、注目するチャンネルでそれぞれの時間帯に放送される番組の情報が並べて表示されるチャンネル別番組表を表示させるとともに、注目する前記チャンネルで複数の番組が放送される時間帯がある場合、その時間帯に割り当てられた表示欄に、前記複数の番組のうちの第１の番組の情報を表示させ、所定のタイミングで、前記第１の番組の情報に替えて、前記複数の番組のうちの第２の番組の情報を表示させるステップを含む。
【００３６】
本発明の一側面においては、注目する時間帯にそれぞれのチャンネルで放送される番組の情報が並べて表示される時間別番組表が表示される。また、注目する前記時間帯に複数の番組を放送するチャンネルがある場合、そのチャンネルに割り当てられた表示欄に、前記複数の番組のうちの第１の番組の情報が表示され、所定のタイミングで、前記第１の番組の情報に替えて、前記複数の番組のうちの第２の番組の情報が表示される。
【００３７】
本発明の他の側面においては、注目するチャンネルでそれぞれの時間帯に放送される番組の情報が並べて表示されるチャンネル別番組表が表示される。また、注目する前記チャンネルで複数の番組が放送される時間帯がある場合、その時間帯に割り当てられた表示欄に、前記複数の番組のうちの第１の番組の情報が表示され、所定のタイミングで、前記第１の番組の情報に替えて、前記複数の番組のうちの第２の番組の情報が表示される。
【発明の効果】
【００３８】
本発明によれば、ユーザにとって視認性のよい番組表を提供することができる。
【発明を実施するための最良の形態】
【００３９】
以下に本発明の実施の形態を説明するが、本発明の構成要件と、発明の詳細な説明に記載の実施の形態との対応関係を例示すると、次のようになる。この記載は、本発明をサポートする実施の形態が、発明の詳細な説明に記載されていることを確認するためのものである。従って、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が発明に対応するものとしてここに記載されていたとしても、そのことは、その実施の形態が、その構成要件以外には対応しないものであることを意味するものでもない。
【００４０】
本発明の一側面の表示制御装置（例えば、図３のDTV１）は、注目する時間帯にそれぞれのチャンネルで放送される番組の情報（例えば、番組のタイトル）が並べて表示される時間別番組表を表示させるとともに、注目する前記時間帯に複数の番組を放送するチャンネルがある場合、そのチャンネルに割り当てられた表示欄に、前記複数の番組のうちの第１の番組の情報を表示させ、所定のタイミングで、前記第１の番組の情報に替えて、前記複数の番組のうちの第２の番組の情報を表示させる表示制御手段（例えば、図３のEPG表示制御部１１Ａ）を備える。
【００４１】
本発明の一側面の表示制御装置またはプログラムは、注目する時間帯にそれぞれのチャンネルで放送される番組の情報（例えば、番組のタイトル）が並べて表示される時間別番組表を表示させるとともに、注目する前記時間帯に複数の番組を放送するチャンネルがある場合、そのチャンネルに割り当てられた表示欄に、前記複数の番組のうちの第１の番組の情報を表示させ、所定のタイミングで、前記第１の番組の情報に替えて、前記複数の番組のうちの第２の番組の情報を表示させるステップ（例えば、図８のステップＳ２）を含む。
【００４２】
本発明の他の側面の表示制御装置（例えば、図３のDTV１）は、注目するチャンネルでそれぞれの時間帯に放送される番組の情報（例えば、番組のタイトル）が並べて表示されるチャンネル別番組表を表示させるとともに、注目する前記チャンネルで複数の番組が放送される時間帯がある場合、その時間帯に割り当てられた表示欄に、前記複数の番組のうちの第１の番組の情報を表示させ、所定のタイミングで、前記第１の番組の情報に替えて、前記複数の番組のうちの第２の番組の情報を表示させる表示制御手段（例えば、図３のEPG表示制御部１１Ａ）を備える。
【００４３】
本発明の一側面の表示制御装置またはプログラムは、注目するチャンネルでそれぞれの時間帯に放送される番組の情報（例えば、番組のタイトル）が並べて表示されるチャンネル別番組表を表示させるとともに、注目する前記チャンネルで複数の番組が放送される時間帯がある場合、その時間帯に割り当てられた表示欄に、前記複数の番組のうちの第１の番組の情報を表示させ、所定のタイミングで、前記第１の番組の情報に替えて、前記複数の番組のうちの第２の番組の情報を表示させるステップ（例えば、図１１のステップＳ２２）を含む。
【００４４】
以下、本発明の実施の形態について図を参照して説明する。
【００４５】
図３は、本発明の一実施形態に係るDTV(Digital Television)１の構成例を示すブロック図である。
【００４６】
CPU(Central Processing Unit)１１は、メモリ１２に記憶されているプログラムを実行し、受光部１３から供給された信号に応じてDTV１の全体の動作を制御する。CPU１１においては、メモリ１２に記憶されているプログラムが実行されることなどによってEPG表示制御部１１Ａが実現される。
【００４７】
EPG表示制御部１１Ａは、DEMUX１６から供給されたEPGデータをメモリ１２などに保存しておき、保存しておいたEPGデータに基づいて、時間別番組表、またはチャンネル別番組表をユーザによる指示に応じてディスプレイ２３に表示させる。EPG表示制御部１１Ａにより表示される番組表の詳細については後述する。
【００４８】
受光部１３は、リモートコントローラ３からの赤外線を受光し、復調して得られたユーザ操作に対応する信号をCPU１１に出力する。
【００４９】
チューナ１４は、CPU１１による制御に従って、アンテナ２からの放送信号を受信、復調し、所定のチャンネルで放送されたトランスポートストリーム（TS）をデスクランブラ１５に出力する。なお、受信された放送信号には、放送される番組の情報であるEPGデータも含まれている。
【００５０】
デスクランブラ１５は、図示せぬCASカードに記憶されているデータを用いてスクランブルを解くキーを生成し、チューナ１４から供給されたトランスポートストリームのスクランブルを解除する。デスクランブラ１５によりスクランブルが解除されたトランスポートストリームはDEMUX（デマルチプレクサ）１６に出力される。
【００５１】
DEMUX１６は、CPU１１による制御に従って、デスクランブラ１５から供給されたトランスポートストリームから所定のストリームを抽出し、抽出したストリーム（ストリームを構成するパケット）をAudioデコーダ１７、Videoデコーダ２０に出力する。また、DEMUX１６は、トランスポートストリームから抽出したEPGデータをCPU１１に出力する。
【００５２】
Audioデコーダ１７は、DEMUX１６から供給されたオーディオデータ（オーディオパケット）をデコードし、得られたオーディオデータを音声処理回路１８に出力する。
【００５３】
音声処理回路１８は、Audioデコーダ１７から供給されたオーディオデータに対してD/A(Digital/Analog)変換、増幅処理等を施し、得られた音声をスピーカ１９から出力させる。
【００５４】
Videoデコーダ２０は、DEMUX１６から供給されたビデオデータ（ビデオパケット）をデコードし、得られたビデオデータを映像処理回路２１に出力する。
【００５５】
映像処理回路２１は、Videoデコーダ２０から供給されたビデオデータに対して所定の画像処理、D/A変換等を施し、番組の画像をディスプレイ２３に表示させる。また、映像処理回路２１は、OSD(On Screen Display)付加回路２２から供給されたビデオデータにも基づいて所定の画像をディスプレイ２３に表示させる。
【００５６】
OSD付加回路２２は、CPU１１（EPG表示制御部１１Ａ）による制御に従ってディスプレイ２３に表示させる画像のビデオデータを生成し、生成したビデオデータを映像処理回路２１に出力する。例えば、番組表を表示するためのビデオデータがOSD付加回路２２により生成され、それが映像処理回路２１に出力される。
【００５７】
ここで、以上のような構成を有するDTV１により表示される番組表について説明する。
【００５８】
はじめに、DTV１により表示される時間別番組表について説明する。
【００５９】
図４は、DTV１により表示される時間別番組表の例を示す図である。
【００６０】
DTV１により表示される時間別番組表では３０分毎の時間帯に注目することができるようになされており、図４の例においては、ユーザが番組表の表示を指示した時刻を含む時間帯である午後０：００から午後０：３０までの時間帯が注目されている。この時間別番組表においては横方向に時間軸が設定され、注目されている午後０：００から午後０：３０までの時間帯の次の（右隣の）時間帯は午後０：３０から午後１：００までの時間帯となっている。
【００６１】
また、DTV１により表示される時間別番組表では、それぞれのチャンネルに１つの表示欄（行）が割り当てられ、注目された時間帯にそれぞれのチャンネルで放送される番組の放送開始時刻とタイトルがリスト表示されるようになされている。
【００６２】
図４の例においては、０２１チャンネルで午後０：００から午後０：３０までの時間帯に放送される番組の情報として、午後０：００に放送が開始される番組のタイトルである「MHKお昼のニュース」と、その放送開始時刻が表示されている。
【００６３】
０２１チャンネルの表示欄の下に設けられる０２３チャンネルの表示欄には、０２３チャンネルで午後０：００から午後０：３０までの時間帯に放送される番組の情報として、午後０：００に放送が開始される番組のタイトルである「十万語の英会話」と、その放送開始時刻が表示されている。この「十万語の英会話」を放送する０２３チャンネルが、点線で示されるカーソルＣにより選択されている。
【００６４】
０２３チャンネルの表示欄の下には、続けて、０５５チャンネル、０５６チャンネル、０５７チャンネル、０５８チャンネル、０５９チャンネルの表示欄が設けられ、それぞれのチャンネルの表示欄には、そのチャンネルで放送される番組のタイトルと放送開始時刻が表示されている。また、画面の下方には、所定の番組の詳細や、リモートコントローラ３に設けられる各種のボタン（青、赤、緑、黄、オプション、戻るボタン）に割り当てられた機能の説明が表示される。
【００６５】
図５は、図４に示されるように０２３チャンネルを選択している状態で、ユーザが、番組の情報が並べられる縦方向と直交する方向である横方向の操作を行ったとき（リモートコントローラ３に設けられる十字キーの右ボタンを１回押したとき）に表示される時間別番組表の例を示す図である。
【００６６】
図５の例においては、注目する時間帯は、午後０：００から午後０：３０までの時間帯のままとされている。また、０２３チャンネルの番組の表示欄には、午後０：１５に放送が開始される番組の情報として、その放送開始時刻と、「英語出直し塾」のタイトルが表示されている。
【００６７】
図５の時間別番組表における、番組に関する他の表示は図４のものと同じである。すなわち、この例は、午後０：００から午後０：３０までの時間帯に０２３チャンネルで放送される番組には、「十万語の英会話」の他に、「英語出直し塾」もある場合の例を示している。
【００６８】
この場合、放送開始時刻が先の番組のタイトルである「十万語の英会話」が表示されている図４の状態でユーザが右方向の操作を行ったとき、０２３チャンネルの表示欄の表示だけが、放送開始時刻が後の番組のタイトルである「英語出直し塾」が表示されるように切り替えられるだけで、他の表示は右方向の操作が行われる前の図４の状態のままとなる。
【００６９】
このように、DTV１により表示される時間別番組表においては、それぞれのチャンネルには１つの表示欄のみが割り当てられ、同じ時間帯に複数の番組を放送するチャンネルがある場合であっても、そのチャンネルに対して複数の番組の情報をそれぞれ表示するための複数の表示欄が割り当てられることはない。そして、ユーザにより選択されているチャンネルが複数の番組を放送するチャンネルであるときには、そのチャンネルに割り当てられている表示欄の表示だけが、ユーザによる横方向の操作に応じて、１つずつ、放送開始時刻に応じた順で番組の情報が表示されるように切り替えられることになる。
【００７０】
なお、例えば、午後０：００から午後０：３０までの時間帯に０２１チャンネルで「MHKお昼のニュース」だけが放送される場合、図４の時間別番組表から０２１チャンネルを選択している状態でユーザが右方向の操作を行ったとき、同じ時間帯に、同じ０２１チャンネルで放送される番組は他にないから、注目する時間帯は、次の時間帯である午後０：３０から午後１：００までの時間帯に切り替えられる。また、それぞれのチャンネルの表示欄には、午後０：３０から午後１：００までの時間帯に放送される番組の情報が表示される。
【００７１】
このように、注目する時間帯に放送される番組の数にかかわらず、それぞれのチャンネルに１つの表示欄が割り当てられ、複数の番組が放送される場合には、その１つの表示欄の表示が切り替えられるようにしたため、番組編成が、時間別番組表の画面レイアウトに影響を与えることがない。
【００７２】
これにより、ユーザは、図１や図２に示されるように番組編成に応じてそれぞれのチャンネルに割り当てられる表示欄が変更される場合に較べて、同じ表示欄に注目して、あるチャンネルでそれぞれの時間帯に放送される番組を確認したり、他の表示欄に表示されている、他のチャンネルで放送される番組との比較を容易に行うことができる。すなわち、ユーザにとって視認性のよい番組表がDTV１により表示される。
【００７３】
ここで、DTV１により表示される時間別番組表の表示の切り替えの概念について図６と図７を参照して説明する。
【００７４】
図６は、注目する時間帯に１つの番組しか放送しないチャンネルが選択されている状態で横方向の操作が行われたときの表示の切り替えの例を示す図である。
【００７５】
図６の左側の時間別番組表においては、時間帯１が注目されており、チャンネルCH１乃至CH４でそれぞれ放送される番組の情報である番組１乃至４がリスト表示されている。また、リスト表示されているチャンネルCH１乃至CH４の中からチャンネルCH１がカーソルＣにより選択されている。
【００７６】
例えば、時間帯１の間に、番組１に続けてチャンネルCH１で放送される番組がない場合、ユーザによる右方向の操作に応じて、図６の左側に示される時間別番組表の表示は図６の右側に示されるものとなる。
【００７７】
すなわち、注目する時間帯が、それまで注目されていた時間帯１の次の時間帯である時間帯２に切り替えられ、リスト表示される番組の情報もそれに応じて切り替えられる。
【００７８】
図６の右側の時間別番組表においては、注目する時間帯２の間にチャンネルCH１乃至CH４で放送される番組はそれぞれ番組１１乃至１４とされている。なお、ユーザにより右方向の操作が行われるときに選択されていたチャンネルCH１が、そのままカーソルＣにより選択されている。
【００７９】
反対に、図６の右側の時間別番組表が表示されている状態でユーザが左方向の操作を行ったとき、注目している時間帯２の間に、いま表示されている番組１１の前にチャンネルCH１で放送される番組は他にないから、時間別番組表の表示は図６の左側に示されるものに戻る。
【００８０】
図７は、注目する時間帯に２つの番組を放送するチャンネルが選択されている状態で横方向の操作が行われたときの表示の切り替えの例を示す図である。
【００８１】
図７の左側の時間別番組表においては、時間帯１が注目されており、図６の左側の時間別番組表と同様に、チャンネルCH１乃至CH４でそれぞれ放送される番組の情報である番組１乃至４がリスト表示されている。また、リスト表示されているチャンネルCH１乃至CH４の中からチャンネルCH２がカーソルＣにより選択されている。
【００８２】
例えば、時間帯１の間に、番組２に続けてチャンネルCH２で放送される番組（番組５）が他にある場合、ユーザによる右方向の操作に応じて、図７の左側に示される時間別番組表の表示は図７の中央に示されるものとなる。
【００８３】
すなわち、注目する時間帯は切り替えられず、選択されているチャンネルの表示だけが、放送開始時刻が後の番組の情報が表示されるように切り替えられる。
【００８４】
図７の中央の時間別番組表においては、チャンネルCH２の表示欄には、時間帯１の間に番組２に続けてチャンネルCH２で放送される番組である番組５が表示されている。また、チャンネルCH１，CH３，CH４の表示欄の表示には変更がなく、それぞれのチャンネルで放送される番組の情報として、図７の左側の時間別番組表のものと同じ番組１，３，４が表示されている。なお、ユーザにより右方向の操作が行われるときに選択されていたチャンネルCH２が、そのままカーソルＣにより選択されている。
【００８５】
反対に、図７の中央の時間別番組表が表示されている状態でユーザが左方向の操作を行ったとき、注目している時間帯１の間に、いま表示されている番組５の前にチャンネルCH２で放送される番組として番組２が他にあるから、注目する時間帯は切り替えられず、時間別番組表の表示は図７の左側に示されるものに戻る。
【００８６】
一方、図７の中央の時間別番組表が表示されている状態でユーザが右方向の操作を行った場合、時間帯１の間に、いま表示されている番組５に続けてチャンネルCH２で放送される番組が他にないときには、ユーザによる右方向の操作に応じて、図７の中央に示される時間別番組表の表示は図７の右側に示されるものとなる。
【００８７】
すなわち、図６の場合と同様に、注目される時間帯が、それまで注目されていた時間帯１の次の時間帯である時間帯２に切り替えられ、リスト表示される番組の情報もそれに応じて切り替えられる。
【００８８】
図７の右側の時間別番組表においては、注目する時間帯２の間にチャンネルCH１乃至CH４で放送される番組はそれぞれ番組１１乃至１４とされている。なお、ユーザにより右方向の操作が行われるときに選択されていたチャンネルCH２が、そのままカーソルＣにより選択されている。
【００８９】
反対に、図７の右側の時間別番組表が表示されている状態でユーザが左方向の操作を行ったとき、注目している時間帯２の間に、いま表示されている番組１２の前にチャンネルCH２で放送される番組は他にないから、時間別番組表の表示は図７の中央に示されるものに戻る。
【００９０】
図７の例においては、時間帯１の間にチャンネルCH２で放送される番組が、番組２と番組５の２つである場合について説明したが、注目する１つの時間帯の間に３つ以上の番組が放送される場合も同様にして表示が切り替えられる。すなわち、そのように、注目する１つの時間帯の間に３つ以上の番組を放送するチャンネルを選択している状態でユーザが右方向の操作を行った場合に、注目する時間帯の間に、いま表示されている番組に続けて放送される番組が他にあるときや、ユーザが左方向の操作を行った場合に、注目する時間帯の間に、いま表示されている番組の前に放送される番組が他にあるときには、注目する時間帯は切り替えられず、ユーザが選択しているチャンネルの表示のみが切り替えられる。
【００９１】
次に、図８のフローチャートを参照して、時間別番組表の表示を切り替えるDTV１の処理について説明する。
【００９２】
この処理は、ユーザにより時間別番組表の表示が指示されたときに開始される。例えば、ユーザが時間別番組表の表示を指示したとき、その時刻を含む時間帯が、注目する時間帯とされる。
【００９３】
ステップＳ１において、EPG表示制御部１１Ａ（図３）は、メモリ１２などに保存しておいたEPGデータを検索することによって、注目する時間帯にそれぞれのチャンネルで放送される番組の情報を取得する。注目する時間帯に複数の番組を放送するチャンネルがある場合、その複数の番組の情報が取得される。
【００９４】
EPG表示制御部１１Ａは、ステップＳ２において、注目する時間帯に複数の番組を放送するチャンネルがある場合、そのチャンネルの表示欄に、放送開始時刻が先の１つの番組の情報を表示させる。また、EPG表示制御部１１Ａは、注目する時間帯に１つの番組を放送するチャンネルの表示欄に、その１つの番組の情報を表示させる。
【００９５】
これにより、それぞれのチャンネルに同じ１行の表示欄が割り当てられた例えば図４に示されるような時間別番組表が表示される。なお、時間別番組表の表示や後述するカーソルＣの移動などは、EPG表示制御部１１ＡによりOSD付加回路２２が制御されることによって行われる。
【００９６】
ステップＳ３において、EPG表示制御部１１Ａは、上下方向の操作が行われ、ユーザによりカーソルＣの移動が指示されたか否かを受光部１３からの出力に基づいて判定し、指示されたと判定した場合、ステップＳ４に進み、カーソルＣを移動させる。例えば、図４の時間別番組表において下方向の操作が行われたとき、EPG表示制御部１１Ａは、０５５チャンネルを選択する状態となるようにカーソルＣを移動させる。
【００９７】
ステップＳ３において、カーソルＣの移動が指示されていないと判定された場合、ステップＳ４の処理はスキップされる。
【００９８】
ステップＳ５において、EPG表示制御部１１Ａは、複数の番組を放送するチャンネルが選択されている状態で横方向の操作が行われたか否かを判定し、そのような操作が行われたと判定した場合、ステップＳ６に進み、続けて、情報を表示する番組があるか否かを判定する。
【００９９】
すなわち、ここでは、右方向の操作が行われた場合には、いま表示している番組よりも後に同じチャンネルで放送される番組があるか否かが判定され、左方向の操作が行われた場合には、いま表示している番組よりも前に同じチャンネルで放送される番組があるか否かが判定される。
【０１００】
ステップＳ６において、EPG表示制御部１１Ａは、情報を表示する番組があると判定した場合、ステップＳ７に進み、カーソルＣにより選択されているチャンネルの表示欄の表示を、いま表示している番組よりも後に同じチャンネルで放送される番組、または、いま表示している番組よりも前に同じチャンネルで放送される番組の情報が表示されるように切り替える。
【０１０１】
ステップＳ７において表示が切り替えられた場合、または、ステップＳ５において、横方向の操作が行われていないと判定された場合、処理はステップＳ８に進む。
【０１０２】
ステップＳ８において、EPG表示制御部１１Ａは、注目する時間帯を切り替えることが指示されたか否かを判定する。
【０１０３】
注目する時間帯に１つの番組だけを放送するチャンネルが選択されている状態で横方向の操作が行われたとき、EPG表示制御部１１Ａは、ステップＳ８において、注目する時間帯を切り替えることが指示されたと判定し、ステップＳ９に進み、注目する時間帯を、いま注目している時間帯の隣の時間帯（右方向の操作が行われたときには後の時間帯、左方向の操作が行われたときには前の時間帯）に切り替える。
【０１０４】
また、注目する時間帯に複数の番組を放送するチャンネルの表示欄で横方向の操作が行われたが、ステップＳ６において情報を表示する番組がないと判定された場合も処理はステップＳ９に進み、注目する時間帯が切り替えられる。
【０１０５】
注目する時間帯が切り替えられた後、処理はステップＳ１に戻り、以上の処理が繰り返される。
【０１０６】
一方、ステップＳ８において、注目する時間帯を切り替えることが指示されていないと判定した場合、EPG表示制御部１１Ａは、ステップＳ１０に進み、時間別番組表の表示を終了するか否かを判定する。
【０１０７】
EPG表示制御部１１Ａは、ステップＳ１０において、時間別番組表の表示を終了しないと判定した場合、ステップＳ３に戻りそれ以降の処理を繰り返し、ユーザにより指示されたことから、時間別番組表の表示を終了すると判定した場合、処理を終了させる。
【０１０８】
以上の処理により、ユーザにとって視認性のよい時間別番組表がDTV１により表示される。
【０１０９】
以上においては、チャンネル軸（チャンネルの並ぶ方向の軸）を縦方向、時間軸を横方向とする時間別番組表の表示について説明したが、以上のような表示の切り替えは、チャンネル軸を横方向、時間軸を縦方向とする時間別番組表の表示を切り替える場合にも同様に適用することができる。
【０１１０】
また、以上においては、時間別番組表の表示について説明したが、以上のような表示の切り替えは、１つのチャンネルに注目し、そのチャンネルでそれぞれの時間帯に放送される番組の情報をリスト表示するチャンネル別番組表の表示を切り替える場合にも同様に適用することができる。
【０１１１】
次に、DTV１により表示されるチャンネル別番組表について説明する。
【０１１２】
DTV１においては、例えば、時間軸（時間帯の並ぶ方向の軸）を縦方向、チャンネル軸を横方向とするチャンネル別番組表が表示される。チャンネル別番組表には、ユーザが選択している時間帯に、注目しているチャンネルで放送される番組が複数ある場合でも、それぞれの時間帯には１つの表示欄が割り当てられ、それぞれの時間帯に放送される番組のタイトルや放送開始時刻がリスト表示される。
【０１１３】
また、そのように、複数の番組が放送される時間帯が選択されている場合に横方向の操作が行われたとき、選択されている時間帯に割り当てられている表示欄の表示が、いま表示されているものよりも後に放送される番組や前に放送される番組の表示に切り替えられる。
【０１１４】
図９は、注目するチャンネルで１つの番組だけが放送される時間帯が選択されている状態で横方向の操作が行われたときの表示の切り替えの例を示す図である。
【０１１５】
図９の左側のチャンネル別番組表においては、チャンネルCH１が注目されており、時間帯１乃至４にチャンネルCH１でそれぞれ放送される番組の情報である番組１乃至４がリスト表示されている。また、リスト表示されている時間帯１乃至４の中から時間帯１がカーソルＣにより選択されている。
【０１１６】
例えば、時間帯１の間に、番組１に続けてチャンネルCH１で放送される番組が他にない場合、ユーザによる右方向の操作に応じて、図９の左側に示されるチャンネル別番組表の表示は図９の右側に示されるものとなる。
【０１１７】
すなわち、注目するチャンネルが、それまで注目されていたチャンネルCH１の次のチャンネル（例えば、チャンネル番号順で次のチャンネル）であるチャンネルCH２に切り替えられ、リスト表示される番組の情報もそれに応じて切り替えられる。
【０１１８】
図９の右側のチャンネル別番組表においては、注目するチャンネルCH２で時間帯１乃至４に放送される番組はそれぞれ番組１１乃至１４とされている。なお、ユーザにより右方向の操作が行われるときに選択されていた時間帯１が、そのままカーソルＣにより選択されている。
【０１１９】
反対に、図９の右側のチャンネル別番組表が表示されている状態でユーザが左方向の操作を行ったとき、選択している時間帯１の間に、いま表示されている番組１１の前にチャンネルCH２で放送される番組は他にないから、チャンネル別番組表の表示は図９の左側に示されるものに戻る。
【０１２０】
図１０は、注目するチャンネルで２つの番組が放送される時間帯が選択されている状態で横方向の操作が行われたときの表示の切り替えの例を示す図である。
【０１２１】
図１０の左側の時間別番組表においては、チャンネルCH１が注目されており、図９の左側のチャンネル別番組表と同様に、時間帯１乃至４にそれぞれ放送される番組の情報である番組１乃至４がリスト表示されている。また、リスト表示されている時間帯１乃至４の中から時間帯２がカーソルＣにより選択されている。
【０１２２】
例えば、時間帯２の間に番組２に続けてチャンネルCH１で放送される番組（番組５）が他にある場合、ユーザによる右方向の操作に応じて、図１０の左側に示されるチャネル別番組表の表示は図１０の中央に示されるものとなる。
【０１２３】
すなわち、注目するチャンネルは切り替えられず、選択されている時間帯の表示だけが、放送開始時刻が後の番組の情報が表示されるように切り替えられる。
【０１２４】
図１０の中央のチャンネル別番組表においては、時間帯２の表示欄には、時間帯２の間に番組２に続けてチャンネルCH１で放送される番組である番組５が表示されている。また、時間帯１，３，４の表示欄の表示には変更がなく、それぞれの時間帯にチャンネルCH１で放送される番組の情報として、図１０の左側のチャンネル別番組表のものと同じ番組１，３，４が表示されている。なお、ユーザにより右方向の操作が行われるときに選択されていた時間帯２が、そのままカーソルＣにより選択されている。
【０１２５】
反対に、図１０の中央のチャンネル別番組表が表示されている状態でユーザが左方向の操作を行ったとき、時間帯２の間に、いま表示されている番組５の前にチャンネルCH１で放送される番組として番組２が他にあるから、注目するチャンネルは切り替えられず、チャンネル別番組表の表示は図１０の左側に示されるものに戻る。
【０１２６】
一方、図１０の中央のチャンネル別番組表が表示されている状態でユーザが右方向の操作を行った場合、時間帯２の間に、いま表示されている番組５に続けてチャンネルCH１で放送される番組が他にないときには、ユーザによる右方向の操作に応じて、図１０の中央に示されるチャンネル別番組表の表示は図１０の右側に示されるものとなる。
【０１２７】
すなわち、図９の場合と同様に、注目されるチャンネルが、それまで注目されていたチャンネルCH１の次のチャンネルであるチャンネルCH２に切り替えられ、リスト表示される番組の情報もそれに応じて切り替えられる。
【０１２８】
図１０の右側のチャンネル別番組表においては、注目するチャンネルCH２で時間帯１乃至４に放送される番組はそれぞれ番組１１乃至１４とされている。なお、ユーザにより右方向の操作が行われるときに選択されていた時間帯２が、そのままカーソルＣにより選択されている。
【０１２９】
反対に、図１０の右側のチャンネル別番組表が表示されている状態でユーザが左方向の操作を行ったとき、時間帯２の間に、いま表示されている番組１２の前にチャンネルCH２で放送される番組は他にないから、チャンネル別番組表の表示は図１０の中央に示されるものに戻る。
【０１３０】
図１０の例においては、時間帯２の間にチャンネルCH１で放送される番組が、番組２と番組５の２つである場合について説明したが、注目するチャンネルで、１つの時間帯の間に３つ以上の番組が放送される場合も同様にして表示が切り替えられる。
【０１３１】
次に、図１１のフローチャートを参照して、チャンネル別番組表の表示を切り替えるDTV１の処理について説明する。
【０１３２】
この処理は、ユーザによりチャンネル別番組表の表示が指示されたときに開始される。例えば、ユーザが最後に視聴していた番組のチャンネルが注目するチャンネルとされて処理が進められる。
【０１３３】
ステップＳ２１において、EPG表示制御部１１Ａは、メモリ１２などに保存しておいたEPGデータを検索することによって、注目するチャンネルでそれぞれの時間帯に放送される番組の情報を取得する。例えば、ユーザがチャンネル別番組表の表示を指示した時刻に近い時間帯に放送される番組の情報が取得される。
【０１３４】
EPG表示制御部１１Ａは、ステップＳ２２において、注目するチャンネルで複数の番組が放送される時間帯がある場合、その時間帯の表示欄に、放送開始時刻が先の１つの番組の情報を表示させる。また、EPG表示制御部１１Ａは、注目するチャンネルで１つの番組が放送される時間帯の表示欄に、その１つの番組の情報を表示させる。
【０１３５】
これにより、例えば、それぞれの時間帯に同じ１行の表示欄が割り当てられたチャンネル別番組表が表示される。なお、チャンネル別番組表の表示や後述するカーソルＣの移動などは、EPG表示制御部１１ＡによりOSD付加回路２２が制御されることによって行われる。
【０１３６】
ステップＳ２３において、EPG表示制御部１１Ａは、上下方向の操作が行われ、ユーザによりカーソルＣの移動が指示されたか否かを受光部１３からの出力に基づいて判定し、指示されたと判定した場合、ステップＳ２４に進み、カーソルＣを移動させる。例えば、図１０のチャンネル別番組表において下方向の操作が行われたとき、EPG表示制御部１１Ａは、時間帯３を選択する状態となるようにカーソルＣを移動させる。
【０１３７】
ステップＳ２３において、カーソルＣの移動が指示されていないと判定された場合、ステップＳ２４の処理はスキップされる。
【０１３８】
ステップＳ２５において、EPG表示制御部１１Ａは、複数の番組が放送される時間帯が選択されている状態で横方向の操作が行われたか否かを判定し、そのような操作が行われたと判定した場合、ステップＳ２６に進み、続けて、情報を表示する番組があるか否かを判定する。
【０１３９】
すなわち、ここでは、右方向の操作が行われた場合には、いま表示している番組よりも後に、同じ時間帯の間に放送される番組があるか否かが判定され、左方向の操作が行われた場合には、いま表示している番組よりも前に、同じ時間帯の間に放送される番組があるか否かが判定される。
【０１４０】
ステップＳ２６において、EPG表示制御部１１Ａは、情報を表示する番組があると判定した場合、ステップＳ２７に進み、カーソルＣにより選択されている時間帯の表示欄の表示を、いま表示している番組よりも後に、同じ時間帯の間に放送される番組、または、いま表示している番組よりも前に、同じ時間帯の間に放送される番組の情報が表示されるように切り替える。
【０１４１】
ステップＳ２７において表示が切り替えられた場合、または、ステップＳ２５において、横方向の操作が行われていないと判定された場合、処理はステップＳ２８に進む。
【０１４２】
ステップＳ２８において、EPG表示制御部１１Ａは、注目するチャンネルを切り替えることが指示されたか否かを判定する。
【０１４３】
EPG表示制御部１１Ａは、１つの番組だけを放送する時間帯が選択されている状態で横方向の操作が行われたとき、ステップＳ２８において、注目するチャンネルを切り替えることが指示されたと判定し、ステップＳ２９に進み、注目するチャンネルを、いま注目しているチャンネルの隣のチャンネル（例えば、右方向の操作が行われたときにはチャンネル番号順で１つ前のチャンネル、左方向の操作が行われたときにはチャンネル番号順で１つ後のチャンネル）に切り替える。
【０１４４】
また、ステップＳ２６において情報を表示する番組がないと判定された場合も処理はステップＳ２９に進み、注目するチャンネルが切り替えられる。
【０１４５】
注目するチャンネルが切り替えられた後、処理はステップＳ２１に戻り、以上の処理が繰り返される。
【０１４６】
一方、ステップＳ２８において、注目するチャンネルを切り替えることが指示されていないと判定した場合、EPG表示制御部１１Ａは、ステップＳ３０に進み、チャンネル別番組表の表示を終了するか否かを判定する。
【０１４７】
EPG表示制御部１１Ａは、ステップＳ３０において、チャンネル別番組表の表示を終了しないと判定した場合、ステップＳ２３に戻りそれ以降の処理を繰り返し、ユーザにより指示されたことから、チャンネル別番組表の表示を終了すると判定した場合、処理を終了させる。
【０１４８】
以上の処理により、ユーザにとって視認性のよいチャンネル別番組表がDTV１により表示される。
【０１４９】
以上においては、チャンネル軸を横方向、時間軸を縦方向とするチャンネル別番組表の表示について説明したが、以上のような表示の切り替えは、チャンネル軸を縦方向、時間軸を縦方向とするチャンネル別番組表の表示を切り替える場合にも同様に適用することができる。
【０１５０】
なお、以上のように、１つの表示欄に表示する情報として、いま表示されているもの以外の番組の情報がある場合、横方向の操作を行うことによって表示させることのできる、他の番組の情報があることを表す文字やアイコンなどが表示欄に表示されるようにしてもよい。例えば、図４の０２３チャンネルの表示欄の右端に、いま表示されている「十万語の英会話」以外に、右方向の操作により表示させることのできるタイトルなどがあることを表す矢印が表示されるようにしてもよいし、図１０の右端に示されるチャンネル別番組表の時間帯２の表示欄の右端に、いま表示されている番組２以外に、右方向の操作により表示させることのできるタイトルなどがあることを表す矢印が表示されるようにしてもよい。
【０１５１】
また、上述したような時間別番組表、チャンネル別番組表は、DTV以外にも、ハードディスクレコーダやDVD(Digital Versatile Disc)レコーダなどのディジタル録画再生機器や、パーソナルコンピュータなどの番組表を扱う各種の機器により表示されるようにすることができる。
【０１５２】
上述した一連の処理は、ハードウエアにより実行させることもできるし、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム記録媒体からインストールされる。
【０１５３】
図１２は、上述した一連の処理をプログラムにより実行するパーソナルコンピュータの構成の例を示すブロック図である。CPU１０１は、ROM(Read Only Memory)１０２、または記憶部１０８に記憶されているプログラムに従って各種の処理を実行する。RAM(Random Access Memory)１０３には、CPU１０１が実行するプログラムやデータなどが適宜記憶される。これらのCPU１０１、ROM１０２、およびRAM１０３は、バス１０４により相互に接続されている。
【０１５４】
CPU１０１にはまた、バス１０４を介して入出力インターフェース１０５が接続されている。入出力インターフェース１０５には、キーボード、マウス、マイクロホンなどよりなる入力部１０６、ディスプレイ、スピーカなどよりなる出力部１０７が接続されている。CPU１０１は、入力部１０６から入力される指令に対応して各種の処理を実行する。そして、CPU１０１は、処理の結果を出力部１０７に出力する。
【０１５５】
入出力インターフェース１０５に接続されている記憶部１０８は、例えばハードディスクからなり、CPU１０１が実行するプログラムや各種のデータを記憶する。通信部１０９は、インターネットやローカルエリアネットワークなどのネットワークを介して外部の装置と通信する。
【０１５６】
また、通信部１０９を介してプログラムを取得し、記憶部１０８に記憶してもよい。
【０１５７】
入出力インターフェース１０５に接続されているドライブ１１０は、磁気ディスク、光ディスク、光磁気ディスク、或いは半導体メモリなどのリムーバブルメディア１１１が装着されたとき、それらを駆動し、そこに記録されているプログラムやデータなどを取得する。取得されたプログラムやデータは、必要に応じて記憶部１０８に転送され、記憶される。
【０１５８】
コンピュータにインストールされ、コンピュータによって実行可能な状態とされるプログラムを格納するプログラム記録媒体は、図１２に示すように、磁気ディスク（フレキシブルディスクを含む）、光ディスク（CD-ROM(Compact Disc-Read Only Memory)，DVD(Digital Versatile Disc)を含む）、光磁気ディスク、もしくは半導体メモリなどよりなるパッケージメディアであるリムーバブルメディア１１１、または、プログラムが一時的もしくは永続的に格納されるROM１０２や、記憶部１０８を構成するハードディスクなどにより構成される。プログラム記録媒体へのプログラムの格納は、必要に応じてルータ、モデムなどのインタフェースである通信部１０９を介して、ローカルエリアネットワーク、インターネット、デジタル衛星放送といった、有線または無線の通信媒体を利用して行われる。
【０１５９】
なお、本明細書において、プログラム記録媒体に格納されるプログラムを記述するステップは、記載された順序に沿って時系列的に行われる処理はもちろん、必ずしも時系列的に処理されなくとも、並列的あるいは個別に実行される処理をも含むものである。
【図面の簡単な説明】
【０１６０】
【図１】従来の時間別番組表の表示例を示す図である。
【図２】従来の時間別番組表の他の表示例を示す図である。
【図３】本発明の一実施形態に係るDTVの構成例を示すブロック図である。
【図４】時間別番組表の表示例を示す図である。
【図５】時間別番組表の他の表示例を示す図である。
【図６】時間別番組表の表示の切り替えの概念を示す図である。
【図７】時間別番組表の表示の切り替えの概念を示す他の図である。
【図８】時間別番組表の表示の切り替えを制御するDTVの処理について説明するフローチャートである。
【図９】チャンネル別番組表の表示の切り替えの概念を示す図である。
【図１０】チャンネル別番組表の表示の切り替えの概念を示す他の図である。
【図１１】チャンネル別番組表の表示の切り替えを制御するDTVの処理について説明するフローチャートである。
【図１２】パーソナルコンピュータの構成例を示すブロック図である。
【符号の説明】
【０１６１】
１  DTV，  ３  リモートコントローラ，  １１  CPU，  １１Ａ  EPG表示制御部，  １２  メモリ，  ２１  映像処理回路，  ２２  OSD付加回路，  ２３  ディスプレイ
【図１】
2007060185.tif 000003
【図２】
2007060185.tif 000004
【図３】
2007060185.tif 000005
【図４】
2007060185.tif 000006
【図５】
2007060185.tif 000007
【図６】
2007060185.tif 000008
【図７】
2007060185.tif 000009
【図８】
2007060185.tif 000010
【図９】
2007060185.tif 000011
【図１０】
2007060185.tif 000012
【図１１】
2007060185.tif 000013
【図１２】
2007060185.tif 000014